(57)【要約】      （修正有）【課題】作動の信頼性を向上できるガス放出防止装置を提供する。【解決手段】筒状の外筒１と、内周面が外筒よりも低摩擦の筒状のスリーブ１３と、内筒３とを備え、外筒は、外筒の貫通穴５のスリーブ１と反対の端部側の部分がガス流路５ａとなり、内筒は、内筒の有底穴がガス流路７となり、ガス流路７ガス流路５ａとを連結するための連結流路９を有し、内筒の外周面には、連結流路の開口よりも閉塞された端部の端面側に、内筒が外筒から引き出されたときにスリーブの内周面に当接することで、連結流路とガス流路５ａとの間のガスの通流を遮断する第１のシール部材２９が、連結流路の開口よりもスリーブ側に、内筒が外筒に押し込まれた状態でスリーブの内周面に当接するとともに、内筒が外筒から引き出される方向に移動するときスリーブの内周面に摺動して外部へのガスの漏洩を防止する第２のシール部材３１が取り付けられている。【選択図】図１
2006226300.tif 000002
【特許請求の範囲】
【請求項１】
中心軸に沿って形成された貫通穴を有し、一方の端部側が第１の連結部となっている筒状の外筒と、該外筒の貫通穴の第１の連結部とは反対側の端部内に設置され、内周面が前記外筒よりも低摩擦で、前記外筒と同軸の貫通穴を有する筒状のスリーブと、中心軸に沿って形成された有底穴を有する筒状で、閉塞された端部側が前記外筒の前記スリーブを設置した側の開口から前記外筒に挿入され、開口した端部側が第２の連結部となっている内筒とを備え、
前記外筒は、該外筒の貫通穴の前記第１の連結部となる端部側の部分がガス流路となり、前記内筒は、該内筒の有底穴がガス流路となり、該内筒の閉塞された側の端部の外周面で開口し、該内筒のガス流路に連通して、該内筒のガス流路と前記外筒のガス流路とを連結するための連結流路を有し、
該内筒の外周面には、前記連結流路の開口よりも前記閉塞された端部の端面側に、該内筒が前記外筒から引き出されたときに前記外筒の貫通穴の内周面または前記スリーブの内周面に当接することで、該内筒の連結流路と前記外筒のガス流路との間のガスの通流を遮断する第１のシール部材が、前記連結流路の開口よりも前記第２の連結部側に、該内筒が前記外筒に押し込まれた状態で前記スリーブの内周面に当接して外部へのガスの漏洩を防止するとともに、該内筒が前記外筒から引き出される方向に移動するとき前記スリーブの内周面に摺動する第２のシール部材が取り付けられているガス放出防止装置。
【請求項２】
前記第１のシール部材は、前記内筒が前記外筒から引き出される方向に移動したとき、前記スリーブの内周面に当接することで、前記内筒の連結流路と前記外筒のガス流路との間のガスの通流を遮断することを特徴とする請求項１に記載のガス放出防止装置。
【請求項３】
前記スリーブの外周面に、前記外筒の貫通穴の前記スリーブが設けられた部分の内周面に当接するスリーブ用シール部材が取り付けられていることを特徴とする請求項１または２に記載のガス放出防止装置。
【請求項４】
前記内筒は、該内筒の閉塞された端部側に、該内筒が前記外筒から引き出されたとき、前記スリーブの端面に当接して該内筒の移動を制限する移動制限部材が設けられていることを特徴とする請求項１乃至３のいずれか１項に記載のガス放出防止装置。
【発明の詳細な説明】
【技術分野】
【０００１】
本発明は、ガスの流路となるホースなどに張力が作用したときに、ガスの流路となるホースなどへのガスの通流を遮断してガスの放出を防止するガス放出防止装置に関する。
【背景技術】
【０００２】
例えば液化ガスなどを収容した容器が地震などによって転倒するなどして、この容器に接続されているガスの流路となるホースなどに張力が作用したときに、ガスの流路となるホースなどへのガスの通流を遮断してガスの放出を防止するガス放出防止装置が用いられている。このようなガス放出防止装置は、中心軸に沿って形成された貫通穴を有し、一方の端部側が、例えば液化ガスなどを収容した容器の取り出し口などに連結される連結部となっている筒状の外筒、中心軸に沿って形成された有底穴を有する筒状で、外筒の連結部とは反対側の端部の開口から、閉塞された端部側が挿入された状態となっており、外筒から常に出ている開口側の端部の部分がガスの流路となるホースなどとの連結部となっている内筒を備えた構成となっている。
【０００３】
そして、外筒の貫通穴は、連結部となる端部側に対応する部分がガス流路となっている。内筒は、有底穴がガス流路となっており、内筒の閉塞された側の端部の外周面で開口するとともに、内筒のガス流路となる有底穴に連通し、外筒のガス流路と内筒のガス流路を連結するための連結流路を有している。内筒の外周面と、外筒の貫通穴の内周面との間には、内筒が外筒から引き出されたときに内筒の連結流路と外筒のガス流路との間のガスの通流を遮断する第１のシール部材、そして、外部へのガスの漏洩を防止する第２のシール部材が取り付けられている。これにより、ガスの流路となるホースなどに張力が作用したとき、内筒が外筒から引き出されることで、第１のシール部材が内筒の連結流路と外筒のガス流路との間のガスの通流、すなわち、ガスの流路となるホースなどへのガスの通流を遮断し、このホースなどが破損したり、外れたりしても、そこからガスが放出されるのを防止している（例えば、特許文献１、２参照）。
【０００４】
特許文献１、２のようなガス放出防止装置では、第１のシール部材は、内筒の外周面の、この内筒の外周面の連結流路の開口よりも閉塞された端部側に設置されている。一方、第２のシール部材は、内筒の外周面の、この内筒の外周面の連結流路の開口よりも第２の連結部となっている端部側に設置されている場合と、外筒の内周面側に設置されている場合とがある。また、別のガス放出防止装置では、第１のシール部材及び第２のシール部材が、ともに、外筒の内周面側に設置されており、内筒が引き出されると、内筒の外周面の連結流路の開口が第１のシール部材と第２のシール部材との間に来ることによって、第１のシール部材が内筒の連結流路と外筒のガス流路との間のガスの通流を遮断するものもある。
【０００５】
【特許文献１】特許第３０５０５０８号公報（第４−５頁、第２−９図）
【特許文献２】特許第３０８８４１８号公報（第３−６頁、第２−１０図）
【発明の開示】
【発明が解決しようとする課題】
【０００６】
ところで、ガス放出防止装置の内筒や外筒は、一般に、黄銅などといった、第１のシール部材や第２のシール部材を形成する樹脂材料と粘着し易い材料で形成されている。しかし、上記の様な従来のガス放出防止装置では、通常の使用時つまり内筒が外筒に押し込まれて内筒の連結流路と外筒のガス流路とが連通状態にあるとき、第２のシール部材は、外筒の内周面側に設置されているか、内筒の外周面側に設置されているかにかかわらず、常に内筒の外周面または外筒の内周面に当接した状態となっている。一方、第１のシール部材も、外筒の内周面側に設置されている場合、通常の使用時つまり内筒が外筒に押し込まれて内筒の連結流路と外筒のガス流路とが連通状態にあるとき、常に内筒の外周面または外筒の内周面に当接した状態となっている。
【０００７】
このため、通常の使用状態のときに第２のシール部材や第１のシール部材が内筒の外周面または外筒の内周面に粘着し、地震によって容器が転倒するなどといったようなガスの流路となるホースなどに張力が作用するような異常が発生したとき、外筒から引き出された状態に内筒が移動できず、内筒の連結流路と外筒のガス流路との間のガスの通流を遮断できない可能性がある。すなわち、通常の使用状態が続く期間の長さによっては、ガス放出防止装置が作動せず、ガスの放出を防止できない可能性がある。したがって、作動の信頼性を向上したガス放出防止装置が求められている。
【０００８】
本発明の課題は、ガス放出防止装置の作動の信頼性を向上することにある。
【課題を解決するための手段】
【０００９】
本発明のガス放出防止装置は、中心軸に沿って形成された貫通穴を有し、一方の端部側が第１の連結部となっている筒状の外筒と、この外筒の貫通穴の第１の連結部とは反対側の端部内に設置され、内周面が外筒よりも低摩擦で、外筒と同軸の貫通穴を有する筒状のスリーブと、中心軸に沿って形成された有底穴を有する筒状で、閉塞された端部側が外筒のスリーブを設置した側の開口から外筒に挿入され、開口した端部側が第２の連結部となっている内筒とを備え、外筒は、この外筒の貫通穴の第１の連結部となる端部側の部分がガス流路となり、内筒は、この内筒の有底穴がガス流路となり、この内筒の閉塞された側の端部の外周面で開口し、この内筒のガス流路に連通して、この内筒のガス流路と外筒のガス流路とを連結するための連結流路を有し、この内筒の外周面には、連結流路の開口よりも閉塞された端部の端面側に、この内筒が外筒から引き出されたときに外筒の貫通穴の内周面またはスリーブの内周面に当接することで、この内筒の連結流路と外筒のガス流路との間のガスの通流を遮断する第１のシール部材が、連結流路の開口よりも第２の連結部側に、この内筒が外筒に押し込まれた状態でスリーブの内周面に当接して外部へのガスの漏洩を防止するとともに、この内筒が外筒から引き出される方向に移動するときスリーブの内周面に摺動する第２のシール部材が取り付けられている構成とすることにより上記課題を解決する。
【００１０】
このような構成とすれば、第１のシール部材は、内筒の外周面側に設置されているため、通常の使用時つまり内筒が外筒に押し込まれた状態では、外筒のガス流路内に位置するため、外筒のガス流路の内周面に当接せず、第１のシール部材が外筒のガス流路となる貫通穴の内周面に粘着することはない。さらに、第２のシール部材は、通常の使用時、外筒の内周面よりも低摩擦のスリーブの内周面に当接している。このため、第２のシール部材は、スリーブの内周面に粘着し難いうえ、内筒が外筒から引き出される方向に移動するとき、第２のシール部材がスリーブの内周面に当接した状態で摺動し、内筒が移動し易くなる。したがって、ガスの流路となるホースなどに張力が作用するような異常が発生したとき、内筒が外筒から引き出された状態に移動し易くなり、ガス放出防止装置の作動の信頼性を向上できる。
【００１１】
さらに、第１のシール部材は、内筒が外筒から引き出される方向に移動したとき、スリーブの内周面に当接することで、この内筒の連結流路と外筒のガス流路との間のガスの通流を遮断する構成とする。このような構成とすることにより、内筒が外筒から引き出されるとき、第１のシール部材が、外筒の内周面よりも低摩擦の材料で形成されたスリーブの内周面に当接した状態で摺動するため、内筒が移動し易くなり、ガス放出防止装置の作動の信頼性をより向上できるので好ましい。
【００１２】
また、スリーブを形成する低摩擦の材料は、合成樹脂である構成とする。さらに、スリーブを形成する低摩擦の材料は、ポリアセタール樹脂である構成とする。これにより、スリーブを確実に外筒よりも低摩擦にできる。
【００１３】
さらに、スリーブの外周面に、外筒の貫通穴のスリーブが設けられた部分の内周面に当接するスリーブ用シール部材が取り付けられている構成とすれば、スリーブの外周面と外筒の貫通穴の内周面との間からのガスの漏洩を確実に防ぐことができる。
【００１４】
また、内筒は、この内筒の閉塞された端部側に、この内筒が外筒から引き出されたとき、スリーブの端面に当接してこの内筒の移動を制限する移動制限部材が設けられている構成とする。このような構成とすることにより、簡単な構成で内筒の外筒からの抜けを防ぐことができる。
【００１５】
さらに、内筒は、外周面に周方向に沿ってストッパ用溝が形成されており、このストッパ用溝には、内筒が外筒に押し込まれ、内筒の連結流路と外筒のガス流路とが連通状態にある位置のとき、環状で、径が小さくなる方向に付勢されたストッパ用ばね部材が嵌合し、ストッパ用ばね部材は、スリーブの内周面または外筒の貫通穴の内周面に周方向に形成された位置決め用溝によって位置決めされ、ストッパ用溝の深さは、内筒が外筒から引き出される方向の所定の力が内筒に作用したとき、ストッパ用溝からストッパ用ばね部材が外れる深さになっている構成とする。
【発明の効果】
【００１６】
本発明によれば、ガス放出防止装置の作動の信頼性を向上できる。
【発明を実施するための最良の形態】
【００１７】
以下、本発明を適用してなるガス放出防止装置の一実施形態について図１乃至図３を参照して説明する。図１は、本発明を適用してなるガス放出防止装置の概略構成を、通常の使用時の内筒を外筒に押し込んだ状態で示す断面図である。図２は、本発明を適用してなるガス放出防止装置の概略構成を、内筒に接続されたホースに異常な張力が作用して内筒が外筒から引き出された状態で示す断面図である。図３は、本発明を適用してなるガス放出防止装置のストッパ機構の一部分を拡大して示す断面図である。
【００１８】
本実施形態のガス放出防止装置は、図１及び図２に示すように、筒状の外筒１、一部が外筒１に挿入された筒状の内筒３を備えている。外筒１及び内筒３は、従来のガス放出防止装置と同様に、例えば黄銅といった金属で形成されている。外筒１は、中心軸に沿って断面円形の貫通穴５が形成された筒状であり、貫通穴５の一部がガス流路５ａとなっている。内筒３は、中心軸に沿って断面円形の有底穴が形成された筒状であり、この有底穴がガス流路７となっている。また、内筒３のガス流路７となる有底穴の閉塞された側の端部には、ガス流路７となる有底穴に連通し、内筒３の外周面で開口する貫通穴からなり、外筒１のガス流路５ａと、内筒３のガス流路７とを連結するための連結流路９が形成されている。
【００１９】
本実施形態のガス放出防止装置の外筒１は、一方の端部側が、例えば液化ガスなどが高圧状態で封入された図示していない容器に設けられた容器弁のガスの取り出し口部に連結するための第１連結部１１となっている。外筒１の貫通穴５は、第１連結部１１と反対側の端部側の端面から中央部にかけての部分５ｂが最も径が大きくなっている。そして、外筒１の貫通穴５の中央部、中央部から第１連結部１１側の端部にかけての部分で２段階に径が小さくなり、第１連結部１１側の端部の端面の部分では、中央部から第１連結部１１側の端部にかけての部分よりも径が大きくなっている。この３段階に径が変わる外筒１の貫通穴５の中央部、中央部から第１連結部１１側の端部にかけての部分、そして、第１連結部１１側の端部の端面の部分が、ガス流路５ａとなっている。
【００２０】
外筒１の貫通穴５の、第１連結部１１と反対側の端部の端面から中央部にかけての部分５ｂには、円筒状のスリーブ１３が設置されている。スリーブ１３は、例えば黄銅といった金属で形成されている外筒１よりも低摩擦の材料、本実施形態ではポリアセタール樹脂で形成されている。スリーブ１３は、中心軸に沿って、つまり、外筒１と同軸に断面円形の貫通穴１３ａが形成された円筒状である。スリーブ１３は、外径が、外筒１の貫通穴５の、第１連結部１１と反対側の端部の端面から中央部にかけての部分５ｂの内径とほぼ同じ径になっている。外筒１の貫通穴１３ａは、外筒１の貫通穴５の中央部の径よりも小さな径で、内筒３の外筒１に挿入される挿入部３ａとほぼ同じ径になっている。
【００２１】
スリーブ１３は、外筒１の貫通穴５の第１連結部１１と反対側の端部つまりスリーブ１３が設置された側の端部の端面から中央部にかけての部分５ｂと外筒１の貫通穴５の中央部との境界の段部１５の面に、スリーブ１３の一方の端面が当接している。さらに、スリーブ１３の長さは、スリーブ１３が設置された側の端部の端面から段部１５の面までの距離、つまり、外筒１の貫通穴５のスリーブ１３が設置された側の端部の端面から中央部にかけての部分５ｂと同じ長さになっており、外筒１の貫通穴５の部分５ｂ全体にスリーブ１３が設置された状態となっている。
【００２２】
外筒１の第１連結部１１と反対側の端部つまりスリーブ１３が設置された側の端部の外周面には、ねじが切られている。そして、外筒１のスリーブ１３が設置された側の端部には、この外筒１の端部の外径に対応する径の有底穴が形成され、この外筒１の端部の外周面に切られたねじ１ａに対応するねじ１７ａが内周面に切られた断面凹状の固定ナット１７が螺合され、取り付けられている。したがって、スリーブ１３は、外筒１の貫通穴５の部分５ｂに、外筒１の部分５ｂ側の開口から挿入され、固定ナット１７を外筒１に取り付けることで、段部１５と固定ナット１７によって、外筒１の貫通穴５内に位置決めされ、固定されている。
【００２３】
また、スリーブ１３の外周面には、周方向に沿って環状に溝１３ｂが形成されており、この溝１３には、シール部材となるＯリング１９が取り付けられている。したがって、スリーブ１３は、外筒１の貫通穴５のスリーブ１３が設置された部分５ｂの内周面とスリーブ１３の外周面との隙間は、Ｏリング１９によって気密にシールされた状態となっている。なお、本実施形態では、Ｏリング１９としてＮＢＲ製のＯリングを用いている。
【００２４】
スリーブ１３の段部１５側に来る端面の貫通穴１３ａの縁部は、面取りされており、これにより、スリーブ１３の貫通穴１３ａの段部１５側に来る端面の部分は、この端面に向かうに連れて漸次拡径するテーパー状になっている。また、スリーブ１３の固定ナット１７側に来る端面の部分は、内周面側が切り欠かれた状態となっている。これにより、スリーブ１３の固定ナット１７側に来る端面の部分の内周面に、固定ナット１７のスリーブ１３側の面を一つの側面とする固定用位置決め用溝１３ｃが形成されている。
【００２５】
なお、本実施形態の外筒１の第１連結部１１となる側の端部の端面部分は、他の部分よりも細く形成されており、容器弁に気密に連結するためのシール部材となる環状のパッキン２１が取り付けられている。また、外筒１の貫通穴５の、ガス流路５ａとなる中央部から第１連結部１１側の端部にかけての部分と、第１連結部１１側の端部の端面部分との境界には、フィルター２３が設置されている。さらに、本実施形態の外筒１の外周面の中央部には、図示していない容器に設けられた容器弁の取り出し口部にガス放出防止装置を連結するためのインレット締付けねじ部２５が取り付けられている。
【００２６】
インレット締付けねじ部２５は、円筒状の筒状部２５ａの一方の端部に鍔状に張り出した鍔状部２５ｂを設けた形状となっている。インレット締付けねじ部２５の筒状部２５ａは、外筒１の中央部を挿入可能で、筒状部２５ａ及び外筒１の中心軸を回転軸として外筒１と相対的に回転可能な状態で、外筒１の中央部に取り付けられている。インレット締付けねじ部２５の筒状部２５ａの外周面には、図示していない容器に設けられた容器弁の取り出し口部の内周面に切られたねじに対応するねじ２５ｃが切られている。また、外筒１の中央部は、第１連結部１１となる側の端部よりも細くなっており、この外筒１の端部と中央部との境界の段部の面にインレット締付けねじ部２５の筒状部２５ａの端面が当接するようになっている。
【００２７】
したがって、本実施形態のガス放出防止装置は、図示していない容器に設けられた容器弁の取り出し口部に、外筒１の第１連結部１１を挿入し、インレット締付けねじ部２５の筒状部２５ａのねじ２５ｃを図示していない容器弁の取り出し口部のねじに螺合することで、図示していない容器弁の取り出し口部に取り付けられる。
【００２８】
本実施形態のガス放出防止装置の内筒３は、一方の端部側が、図示していない容器に連結される図示していないガス流路となるホースを連結するホース継手となる第２連結部２７となっている。内筒３の外周面の中央部には、鍔状に張り出した鍔状部３ｂが形成されており、鍔状部３ｂよりも外筒１側つまり外筒１に挿入される側が挿入部３ａに、その反対側がホース継手となる第２連結部２７になっている。内筒３の挿入部３ａは、固定ナット１７の閉塞された面つまり有底穴の底となる面の中央部に形成された貫通穴から、外筒１内のスリーブ１３の貫通穴１３ａに挿入された状態になっており、挿入部３ａの端部は、スリーブ１３から外筒１の最も径が大きいガス流路５ａの部分に出ている。
【００２９】
内筒３に形成された連結流路９は、図１に示すように、内筒３の挿入部３ａの、内筒３の鍔状部３ｂが固定ナット１７に当接した状態で、連結流路９の内筒３の外周面での開口の少なくとも一部がスリーブ１３から外筒１のガス流路５ａに出る位置に形成されている。内筒３の外周面の、連結流路９の内筒３の外周面での開口よりも端面側には、周方向に沿って環状に溝３ｃが形成されている。溝３ｃには、Ｏリング２９が取り付けられている。したがって、内筒３が、図２に示すように、外筒１から引き出されたとき、連結流路９の内筒３の外周面での開口は、スリーブ１３内に入ると共に、連結流路９の内筒３の外周面での開口よりも外筒１のガス流路５ａ側の内筒３の外周面とスリーブ１３の内周面との隙間は、Ｏリング２９によって気密にシールされる。
【００３０】
このように、内筒３の溝３ｃに取り付けられたＯリング２９は、内筒３の外周面側に設けられ、内筒３が外筒１から引き出されたときにスリーブ１３の内周面に当接することで、内筒３の連結流路９と外筒１のガス流路５ａとの間のガスの通流を遮断する第１のシール部材となっている。また、内筒３の溝３ｃに取り付けられたＯリング２９の外径は、外筒１の最も径が大きいガス流路５ａの部分の内径よりも小さいため、内筒３が外筒１へ押し込まれたとき、外筒１の最も径が大きいガス流路５ａの部分に位置するＯリング２９の外周部分と、外筒１の最も径が大きいガス流路５ａの部分の内周面とは当接せず、Ｏリング２９とガス流路５ａの内周面との間をガスが通流できる。
【００３１】
内筒３の外周面の、連結流路９の内筒３の外周面での開口よりも第２連結部２７側には、周方向に沿って環状に溝３ｄが形成されている。溝３ｄには、Ｏリング３１が取り付けられている。したがって、内筒３が、図１に示すように、外筒１に押し込まれても、また、図２に示すように、外筒１から引き出されても、Ｏリング３１は、常にスリーブ１３の内周面に当接した状態にある。したがって、連結流路９の内筒３の外周面での開口は、スリーブ１３内に入ると共に、連結流路９の内筒３の外周面での開口よりも第２連結部側の内筒３の挿入部３ａの外周面とスリーブ１３の内周面との隙間は、Ｏリング３１によって気密にシールされる。
【００３２】
このように、内筒３の溝３ｄに取り付けられたＯリング３１は、内筒３が外筒１に押し込まれた状態でスリーブ１３の内周面に当接するとともに、内筒３が外筒１に押し込まれた状態から、外筒１から引き出される方向に移動するときスリーブ１３の内周面に当接することで、内筒３の挿入部３ａの外周面とスリーブ１３の内周面との隙間から外部へのガスの漏洩を防止する第２のシール部材となっている。
【００３３】
内筒３の端部のＯリング２９よりも端面側の部分には、スリーブ１３の貫通穴１３ａの径よりも大きな外径を有する環状の移動制限部材３３が設けられている。したがって、移動制限部材３３は、内筒３の挿入部３ａの他の部分よりも鍔状に張り出した状態になっており、図２に示すように、内筒３を外筒１から引き出したとき、移動制限部材３３がスリーブ１３の端面に当接する。これにより、移動制限部材３３は、外筒１から引き出される方向の内筒３の移動を制限し、内筒３が外筒１から抜けないようにしている。
【００３４】
移動制限部材３３は、内筒３の挿入部３ａの端部に適宜の方法で固定することができる。例えば、本実施形態のように、内筒３の挿入部３ａの端部の、Ｏリング２９よりも端面側の部分を、内筒３の挿入部３ａの他の部分よりも細く形成し、その外周面にはねじを切り、このねじに対応するねじを環状の移動制限部材３３の内周面に切ることで、移動制限部材３３を内筒３の挿入部３ａの端部に螺格し、移動制限部材３３を内筒３の挿入部３ａの端部に固定することができる。
【００３５】
内筒３の挿入部３ａの、Ｏリング３１よりも第２連結部２７側の外周面の部分には、図１及び図３（ａ）に示すように、内筒３を、鍔状部３ｂが固定ナット１７に当接するまで外筒１に押し込んだ状態のとき、スリーブ１３の固定ナット１７側の端面部分に形成された位置決め用溝１３ｃに対応する位置に、周方向に沿って環状に断面が円弧状のストッパ用溝３ｆが形成されている。位置決め用溝１３ｃ内には、Ｃ字形状のストッパ用ばね部材となるフリクションリング３５が設置されており、フリクションリング３５は、位置決め用溝１３ｃによって位置決めされている。そして、フリクションリング３５は、径が小さくなる方向に付勢されているため、内筒３を、鍔状部３ｂが固定ナット１７に当接するまで外筒１に押し込み、スリーブ１３の位置決め用溝１３ｃに対応する位置に、内筒３のストッパ用溝３ｆが来ると、フリクションリング３５の内周側の部分がストッパ用溝３ｆに嵌合し、内筒３が移動できないように固定する。
【００３６】
しかし、外筒１から引き出される方向に内筒３を引っ張る力が、フリクションリング３５の付勢力によって内筒３を固定している力よりも大きくなると、図２及び図３（ｂ）に示すように、フリクションリング３５が内筒３のストッパ用溝３ｆから外れ、内筒３は中心軸方向に沿って移動可能になる。フリクションリング３５が内筒３のストッパ用溝３ｆから外れるときの内筒３を引き出す力は、ストッパ用溝３ｆの深さ、つまり、ストッパ用溝３ｆとフリクションリング３５との嵌合の深さによって決めることができる。したがって、所定の力で内筒３が引っ張られたときに、フリクションリング３５が内筒３のストッパ用溝３ｆから外れるようなストッパ用溝３ｆの深さにしている。このように、フリクションリング３５や内筒３のストッパ用溝３ｆなどは、内筒３が外筒１に押し込まれた状態、つまり、外筒１のガス流路５ａが連結流路９を介して内筒３のガス流路７と連通した状態に内筒３を固定するストッパ機構を構成している。
【００３７】
このような構成のガス放出防止装置の動作と本発明の特徴部などについて説明する。本実施形態のガス放出防止装置は、外筒１側に設けられた第１連結部１１が、液化ガスなどを収容した図示していない容器に設けられた容器弁の取り出し口部に連結され、内筒３に設けられた第２連結部２７に、液化ガスの供給などを行うためのガスの流路となる図示していないホースが連結される。通常の使用時は、図１に示すように、内筒３が外筒１に押し込まれた状態、つまり、内筒３の鍔状部３ｂが固定用ナット１７に当接し、内筒３の挿入部３ａ全体が外筒１内に挿入された状態になっている。したがって、内筒３は、図１及び図３（ａ）に示すように、内筒３のストッパ用溝３ｆにフリクションリング３５が嵌合することで、移動しないように固定されている。
【００３８】
このとき、ガス放出防止装置では、内筒３に取り付けられたＯリング２９が、スリーブ１３や外筒１の内周面に当接しない外筒１の最も径が大きいガス流路５ａの部分に位置し、連結流路９の内筒３の外周面での開口が、外筒１のガス流路５ａ内で開口した状態になっている。このため、図示していない容器からのガスは、ガス放出防止装置の外筒１のガス流路５ａに流入し、内筒３の連結流路９を介して内筒３のガス流路７へ流れ、さらに、内筒３の第２連結部２７に接続された図示していないホースへと流れる。
【００３９】
このように図示していない容器からガスの供給を行っている状態で、例えば、地震などにより図示していない容器が倒れるなどして図示していないホースに、このホースの延在方向に引っ張るような力が作用したり、ホースに物が載ってホースの延在方向に交わる方向に引っ張るような力が作用したりといったように、図示していないホースに何らかの異常な張力が作用すると、この図示していないホースに連結されたガス放出防止装置の内筒３には、内筒３を外筒１から引き出す方向の力が作用する。この力が、ストッパ用溝３ｆの深さによって設定された力を越えると、図２及び図３（ｂ）に示すように、ストッパ用溝３ｆからフリクションリング３５が離脱し、内筒３が外筒１から引き出される。
【００４０】
ガス放出防止装置の内筒３が外筒１から引き出されると、連結流路９の内筒３の外周面での開口が、スリーブ１３内に位置し、外筒１のガス流路５ａ内で開口した状態内筒３に取り付けられたＯリング２９が、スリーブ１３の内周面に当接した状態になる。このため、Ｏリング２９が、外筒１のガス流路５ａと内筒３の連結流路９との間のガスの通流を遮断する。これにより、図示していないホースに何らかの異常な張力が作用することで、例えば、図示していないホースがガス放出防止装置の内筒３に設けられた第２連結部２７から外れたり、図示していないホースが破損したりするようなことがあっても、ガスの放出を防止できる。
【００４１】
ところで、従来のガス放出防止装置では、本実施形態のＯリング３１のようなガス放出防止装置の外部へのガスの漏洩を防止するためのＯリングなどのシール部材は、通常の使用時、例えば黄銅などの金属で形成された外筒の内周面または内筒の外周面に常に当接した状態になっている。また、ガス放出防止装置の構造によっては、本実施形態のＯリング２９のようなガス放出防止装置内のガス流路のガスの通流を制御するためのＯリングなどのシール部材も、通常の使用時、外筒の内周面に常に当接した状態になっている。ところが、図示していないホースに何らかの異常な張力が作用してガス放出防止装置の内筒３が外筒１から引き出されるガス放出防止装置の作動は、ガス放出防止装置の使用期間、例えば１０年程度の使用期間のうちに１度あるかないかといったものである。
【００４２】
このため、従来のガス放出防止装置では、使用を開始してから異常によりガス放出防止装置が作動する期間の長さによって、ガス放出防止装置の外部へのガスの漏洩を防止するためのシール部材が外筒の内周面または内筒の外周面に粘着して内筒３が動かなくなったり、ガスの通流を遮断できる位置まで内筒３が移動できないような大きな摩擦が生じたりする可能性がある。また、ガス放出防止装置の構造によっては、ガス放出防止装置内のガス流路のガスの通流を制御するためのシール部材でも同様のことが起こり、これにより、内筒３が動かなくなったり、ガスの通流を遮断できる位置まで内筒３が移動できなくなったりする場合もある。
【００４３】
これに対して、本実施形態のガス放出防止装置では、ガス放出防止装置内のガス流路のガスの通流を制御するためのシール部材となるＯリング２９は、内筒３の外周面側に設置されているため、通常の使用時つまり内筒３が外筒１に押し込まれた状態では、外筒１のガス流路５ａの内周面には当接しておらず、Ｏリング２９が外筒１のガス流路５ａの内周面などに粘着することはない。さらに、ガス放出防止装置の外部へのガスの漏洩を防止するためのシール部材となるＯリング３１は、通常の使用時、外筒１の内周面よりも低摩擦のスリーブ１３の内周面に当接している。このため、Ｏリング３１は、スリーブ１３の内周面に粘着し難いうえ、内筒３が外筒１から引き出される方向に移動するとき、Ｏリング３１がスリーブ１３の内周面に当接した状態で摺動するため、内筒３が移動し易くなる。したがって、ガスの流路となるホースなどに張力が作用するような異常が発生したとき、内筒３が外筒１から引き出された状態に移動し易くなり、ガス放出防止装置の作動の信頼性を向上できる。
【００４４】
さらに、本実施形態のガス放出防止装置では、ガス放出防止装置内のガス流路のガスの通流を制御するためのシール部材となるＯリング２９は、内筒３が外筒１から引き出される方向に移動したとき、スリーブ１３の内周面に当接することで、内筒３の連結流路９と外筒１のガス流路５ａとの間のガスの通流を遮断している。このため、内筒３が外筒１から引き出されるとき、Ｏリング２９は、外筒１の貫通穴５の内周面よりも低摩擦の材料で形成されたスリーブ１３の内周面に当接した状態で摺動するため、内筒３がより移動し易くなり、ガス放出防止装置の作動の信頼性をより向上できる。
【００４５】
加えて、本実施形態のガス放出防止装置では、スリーブ１３を形成する低摩擦の材料は、ポリアセタール樹脂である。これにより、スリーブを確実に外筒よりも低摩擦にでき、シール部材の粘着を抑制できる。さらに、本実施形態のガス放出防止装置では、スリーブ１３の外周面に、外筒１の貫通穴５のスリーブ１３が設けられた部分５ｂの内周面に当接するスリーブ用シール部材となるＯリング１９が取り付けられている。このため、スリーブの外周面と外筒の貫通穴の内周面との間からのガスの漏洩を確実に防ぐことができる。加えて、スリーブ１３を外筒１の貫通穴５のスリーブ１３が設けられた部分５ｂの内周面にシール剤を兼ねた接着剤などで固定するといった手間がなくなり、ガス放出防止装置の組み立てや分解が容易になり、メンテナンス性が向上する。
【００４６】
さらに、本実施形態のガス放出防止装置では、内筒３は、内筒３の閉塞された端部側に、内筒３が外筒１から引き出されたとき、スリーブ１３の端面に当接して内筒３の移動を制限する移動制限部材３３が設けられている。このため、簡単な構成で内筒の外筒からの抜けを防ぐことができる。加えて、本実施形態のガス放出防止装置では、内筒３は、外周面に周方向に沿って形成されたストッパ用溝３ｆや、スリーブ１３の位置決め用溝１３ｃによって位置決めされた環状のストッパ用ばね部材となるフリクションリング３５などからなるストッパ機構を有している。このため、ストッパ用溝の深さによって、ガス放出防止装置が作動するために内筒３を引き出す方向に作用する力を設定できる。
【００４７】
また、本実施形態では、ガス放出防止装置内のガス流路のガスの通流を制御するためのシール部材となるＯリング２９も、内筒３が外筒１から引き出される方向に移動したとき、スリーブ１３の内周面に当接する構成となっている。しかし、ガス放出防止装置内のガス流路のガスの通流を制御するためのシール部材となるＯリング２９は、外筒１の貫通穴５の内周面などと、通常の使用時、常に当接しているものではない。このため、内筒３が外筒１から引き出されたとき、Ｏリング２９が外筒１のガス流路５ａ以外の貫通穴５の部分の内周面に当接することで、内筒３の連結流路９と外筒１のガス流路５ａとの間のガスの通流を遮断する構成などにすることもできる。ただし、本実施形態のように、Ｏリング２９も、内筒３が外筒１から引き出される方向に移動したとき、スリーブ１３の内周面に当接する構成とした方が、内筒３をより移動し易くできる。
【００４８】
また、本実施形態では、スリーブ１３は、ポリアセタール樹脂で形成している。しかし、スリーブ１３は、例えば黄銅といった金属で形成されている外筒１よりも低摩擦の材料であれば様々な材料で形成できる。ただし、外筒１よりも確実に低摩擦とし、Ｏリングなどのシール部材の粘着を確実に抑制するためには、本実施形態のスリーブ１３のようなポリアセタール樹脂や、ポリブチレンテレフタレートなどのエンジニアリングプラスチックを用いることが望ましく、ポリテトラフルオロエチレンといったフッ素系樹脂を用いることがさらに望ましい。また、本実施形態では、スリーブ１３は、外筒１よりも低摩擦の材料で形成している。しかし、スリーブの内周面を外筒１よりも低摩擦にできれば、スリーブ全体を外筒１よりも低摩擦の材料で形成する必要はなく、例えば、適宜の材料で形成した筒体の内周面にポリテトラフルオロエチレンメッキやクロムメッキなどの表面処理を施すことで内周面を外筒１よりも低摩擦としたスリーブなどを用いることもできる。
【００４９】
また、本実施形態では、スリーブ１３は、外筒１の貫通穴５の第１連結部１１と反対側の端部の端面から中央部にかけての部分５ｂ全体に設定された構成となっている。しかし、スリーブ１３は、少なくとも内筒３の移動によりＯリング３１が移動する範囲に設置されていればよく、例えば、スリーブ１３を内筒３の移動によりＯリング３１が移動する範囲に設置し、スリーブ１３が設置された部分以外の外筒１の貫通穴５の部分５ｂが、内径がスリーブ１３の貫通穴１３ａと同じになっているような構成にすることもできる。この場合、ストッパ用溝３ｆの位置に応じて、フリクションリング３５を収容する位置決め用溝１３ｃは、適宜、外筒１の貫通穴５の内周面に形成する。ただし、本実施形態のように、スリーブ１３が、外筒１の貫通穴５の第１連結部１１と反対側の端部の端面から中央部にかけての部分５ｂ全体に設定された構成となっていれば、外筒１の貫通穴５の第１連結部１１と反対側の端部の端面からスリーブ１３を出し入れでき、ガス放出防止装置の組み立てや分解が容易になり、メンテナンス性が向上する。さらに、前述のように、Ｏリング２９もスリーブ１３の内周面に当接させることができ、内筒３をより移動し易くできる。
【００５０】
また、本実施形態では、第１連結部１１を容器弁に、第２連結部２７をホースに連結する場合を例として説明を行ったが、本発明は、ガスの流路となる配管の途中などに設置するガス放出防止装置などにも適用できる。したがって、例えば第１連結部、第２連結部の形状や構造、さらに、インレット締め付けねじ部２５の形状や構造、有無などは適宜選択できる。
【００５１】
このように、本発明は、本実施形態の構成のガス放出防止装置に限らず、外筒に挿入された内筒の移動によりガスの通流を遮断する様々な構成のガス放出防止装置に適用できる。
【図面の簡単な説明】
【００５２】
【図１】本発明を適用してなるガス放出防止装置の一実施形態の概略構成を、通常の使用時の内筒を外筒に押し込んだ状態で示す断面図である。
【図２】本発明を適用してなるガス放出防止装置の一実施形態の概略構成を、内筒に接続されたホースに異常な張力が作用して内筒が外筒から引き出された状態で示す断面図である。
【図３】本発明を適用してなるガス放出防止装置のストッパ機構の一部分を拡大して示す断面図であり、（ａ）は通常の使用時の内筒を外筒に押し込んだ状態のとき、（ｂ）は内筒に接続されたホースに異常な張力が作用して内筒が外筒から引き出された状態のときを示す図である。
【符号の説明】
【００５３】
１  外筒
３  内筒
５  外筒の貫通穴
５ａ  外筒のガス流路
７  内筒のガス流路
９  連結流路
１１  第１連結部
１３  スリーブ
２９、３１  Ｏリング
【図１】
2006226300.tif 000003
【図２】
2006226300.tif 000004
【図３】
2006226300.tif 000005